(57)【要約】【課題】特定のブラウザやアプリケーションソフトウェアを用いなくても、ホームページの内容を再生表示し得る様に、それらの内容を変換して記憶する。【解決手段】ＣＰＵ１２は、ＲＯＭ１４内のブラウザを読み出して実行することにより、通信部１９を通じてインターネット上のホームページにアクセスし、ホームページの内容を表示装置１６の画面に表示する。ＣＰＵ１２は、ホームページの表示画面の解像度を変換し、この解像度を変換したホームページの表示画面を画像データとして取り込み、この画像データをハードディスク記憶装置１５に記憶させる。ＣＰＵ１２は、ＲＯＭ１４内の画像用アプリケーションソフトウェアを読み出して実行することにより、ホームページの表示画面を示す画像データをハードディスク記憶装置１５から読み出し、このホームページの表示画面を表示装置１６の画面に表示する。【選択図】図１
2004030297.tif 000002
【特許請求の範囲】
【請求項１】
ホームページをインターネットを通じて受信し、このホームページの内容を表示する情報処理装置において、
ホームページの内容を表示した表示画面の解像度を変換し、この解像度を変換したホームページの表示画面を画像データとして取り込む画像取り込み手段と、画像取り込み手段により取り込まれた画像データを記憶する記憶手段とを備え、
画像データを記憶手段から読み出し、この画像データによって示されるホームページの表示画面を再生表示することを特徴とする情報処理装置。
【請求項２】
画像取り込み手段は、複数の表示画面が順次表示される度に、該各表示画面を画像データとして逐次取り込むことを特徴とする請求項１に記載の情報処理装置。
【請求項３】
画像取り込み手段は、ホームページの表示画面が予め設定された時間以上表示されると、このホームページの表示画面を画像データとして取り込むことを特徴とする請求項１に記載の情報処理装置。
【請求項４】
メールをインターネットを通じて受信し、このメールに添付されているファイルの内容を表示する情報処理装置において、
ファイルの内容を表示した表示画面の解像度を変換し、この解像度を変換したファイルの表示画面を画像データとして取り込む画像取り込み手段と、
画像取り込み手段により取り込まれた画像データを記憶する記憶手段とを備え、
画像データを記憶手段から読み出し、この画像データによって示されるファイルの表示画面を再生表示することを特徴とする情報処理装置。
【請求項５】
ファイルを該ファイルの形式に対応するアプリケーションソフトウェアにより展開して、該ファイルの内容を表示する情報処理装置において、
ファイルの内容を表示した表示画面の解像度を変換し、この解像度を変換したファイルの表示画面を画像データとして取り込む画像取り込み手段と、
画像取り込み手段により取り込まれた画像データを記憶する記憶手段とを備え、
画像データを記憶手段から読み出し、この画像データによって示されるファイルの表示画面を再生表示することを特徴とする情報処理装置。
【請求項６】
ホームページをインターネットを通じて受信し、このホームページの内容を表示する情報処理方法において、
ホームページの内容を表示した表示画面の解像度を変換し、この解像度を変換したホームページの表示画面を画像データとして取り込む画像取り込みステップと、
取り込まれた画像データをメモリに記憶する記憶ステップとを含み、
画像データをメモリから読み出し、この画像データによって示されるホームページの表示画面を再生表示することを特徴とする情報処理方法。
【発明の詳細な説明】
【０００１】
【発明の属する技術分野】
本発明は、ホームページやメールをインターネットを通じて受信し、ホームページの内容やメールに添付されているファイルの内容を表示する情報処理装置及び方法に関する。
【０００２】
【従来の技術】
周知の様にパーソナルコンピュータや携帯情報機器等の情報処理装置においては、ブラウザを用いることにより、ホームページをインターネットを通じてアクセスして、ホームページの内容を表示装置の画面に表示したり、ブラウザのファイル保存機能を用いることにより、ホームページの内容をＨＴＭＬ形式のファイルとしてメモリに保存し、更にブラウザを用いることにより、該ファイルを展開して、ホームページの内容を再生表示していた。
【０００３】
また、各種のファイル形式に対応するそれぞれのアプリケーションソフトウェアがあり、ファイルの内容を表示する場合は、このファイルの形式に対応するアプリケーションソフトウェアを用いることにより、ファイルを展開して、ファイルの内容を表示していた。
【０００４】
【発明が解決しようとする課題】
ところで、ノート型パーソナルコンピュータや携帯情報機器の場合は、その表示装置の画面が小さいため、一度に表示し得る情報量が小さく、ホームページの内容を一度に表示することが困難であり、表示内容の拡大縮小や移動等の機能を用いる必要がある。例えば、図形や文書等を記載した原稿全体を確認するときに、原稿全体を小さな画面に縮小表示したり、また文章を読むときに、文章の一部を拡大表示しつつ、文章を画面上で移動させる。
【０００５】
しかしながら、ホームページの内容をブラウザにより表示するので、ブラウザそのものに表示内容の縮小や移動等の機能が備わっていなければ、原稿内容の確認が困難になる。例えば、原稿全体を確認することができなかったり、画面上の文章の文字が小さ過ぎて読めなかった。
【０００６】
また、ホームページの内容をＨＴＭＬ形式のファイルとして記録媒体に保存した場合は、他の情報処理装置のブラウザにより該ファイルを展開して表示しても、元の表示内容が再現されないことがあった。
【０００７】
また、ファイルの内容を表示するには、このファイルの形式に対応するアプリケーションソフトウェアを用いる必要があるため、このアプリケーションソフトウェアを情報処理装置にインストールしなければ、ファイルの内容を見ることができなかった。例えば、メールに添付のファイルを展開するには、このファイルの形式に対応するアプリケーションソフトウェアをインストールする必要があった。また、ブラウザと同様に、アプリケーションソフトウェアそのものに表示内容の縮小や移動等の機能が備わっていなければ、ファイルの内容の確認が困難であった。
【０００８】
そこで、本発明は、上記従来の問題点に鑑みてなされたものであり、特定のブラウザやアプリケーションソフトウェアを用いなくても、ホームページの内容やメールに添付のファイルの内容を再生表示し、その上で表示内容の拡大縮小や移動を行ない得る様に、それらの内容を変換して記憶する情報処理装置及び方法を提供することを目的とする。
【０００９】
【課題を解決するための手段】
上記課題を解決するために、本発明は、ホームページをインターネットを通じて受信し、このホームページの内容を表示する情報処理装置において、ホームページの内容を表示した表示画面の解像度を変換し、この解像度を変換したホームページの表示画面を画像データとして取り込む画像取り込み手段と、画像取り込み手段により取り込まれた画像データを記憶する記憶手段とを備え、画像データを記憶手段から読み出し、この画像データによって示されるホームページの表示画面を再生表示している。
【００１０】
この様な構成の本発明によれば、ホームページの表示画面の解像度を変換し、この解像度を変換したホームページの表示画面を画像データとして取り込み、この画像データを記憶している。例えば、ホームページの表示画面が図形や文書等を配したものであれば、これらの図形や文書等の全体を１つの画像として扱い、この画像を示す画像データを生成して、この画像データを記憶している。ここで、ホームページを受信して、その内容を表示するために、ブラウザが必要であっても、画像データを読み出して、この画像データによって示される画像を表示画面に表示するためには、ブラウザを必要とせず、通常の画像用アプリケーションソフトウェアを用いれば良い。この画像用アプリケーションソフトウェアは、拡大縮小や移動等の機能を付与されており、またパーソナルコンピュータや携帯情報機器等の一般的な情報処理装置に備え付けられている。このため、多様な情報処理装置のいずれにおいても、画像データによって示されるホームページの表示画面を再生表示したり、表示内容の拡大縮小や移動等を行うことができる。また、解像度を変換した表示画面を画像データとして取り込んでいるので、この表示画面を再生表示するに際し、表示内容の大きさが適宜に設定される。
【００１１】
また、本発明においては、画像取り込み手段は、複数の表示画面が順次表示される度に、該各表示画面を画像データとして逐次取り込んでいる。
【００１２】
これにより、複数の表示画面を速やかに取り込むことができ、情報処理装置の操作を簡略化することができる。
【００１３】
更に、本発明においては、画像取り込み手段は、ホームページの表示画面が予め設定された時間以上表示されると、このホームページの表示画面を画像データとして取り込んでいる。
【００１４】
この様に一定時間以上表示されたホームページの表示画面を画像データとして取り込めば、ネットサーフィンを行っているときに、表示時間が比較的長かったホームページの表示画面を自動的に選択して取り込むことができる。逆に、表示時間が僅かであったホームページの表示画面を取り込まないので、メモリの容量を節減することができる。
【００１５】
次に、本発明は、メールをインターネットを通じて受信し、このメールに添付されているファイルの内容を表示する情報処理装置において、ファイルの内容を表示した表示画面の解像度を変換し、この解像度を変換したファイルの表示画面を画像データとして取り込む画像取り込み手段と、画像取り込み手段により取り込まれた画像データを記憶する記憶手段とを備え、画像データを記憶手段から読み出し、この画像データによって示されるファイルの表示画面を再生表示している。
【００１６】
この様な構成の本発明によれば、メールに添付のファイルの内容を表示した上で、このファイルの内容を表示した表示画面の解像度を変換し、この解像度を変換したファイルの表示画面を画像データとして取り込み、この画像データを記憶している。この画像データによって示される表示画面の表示等を行うときにも、通常の画像用アプリケーションソフトウェアを用いれば良い。この画像用アプリケーションソフトウェアは、先に述べた様に拡大縮小や移動等の機能を付与され、一般的な情報処理装置に備えられている。このため、多様な情報処理装置のいずれにおいても、画像データによって示されるファイルの表示画面を再生表示したり、表示内容の拡大縮小や移動等を行うことができる。また、解像度を変換した表示画面を画像データとして取り込んでいるので、この表示画面を再生表示するに際し、表示内容の大きさが適宜に設定される。
【００１７】
また、本発明は、ファイルを該ファイルの形式に対応するアプリケーションソフトウェアにより展開して、該ファイルの内容を表示する情報処理装置において、ファイルの内容を表示した表示画面の解像度を変換し、この解像度を変換したファイルの表示画面を画像データとして取り込む画像取り込み手段と、画像取り込み手段により取り込まれた画像データを記憶する記憶手段とを備え、画像データを記憶手段から読み出し、この画像データによって示されるファイルの表示画面を再生表示している。
【００１８】
この様な構成の本発明によれば、ファイル専用アプリケーションソフトウェアによりファイルを展開して、その内容を表示し、このファイルの内容を表示した表示画面を画像データとして取り込んで記憶している。このファイルの表示画面を画像データとして取り込んで記憶してしまえば、ファイル専用アプリケーションソフトウェアを持たない情報処理装置であっても、より一般的な画像用アプリケーションソフトウェアを用いて、画像データによって示されるファイルの表示画面を再生表示することができる。
【００１９】
【発明の実施の形態】
以下、本発明の実施形態を添付図面を参照して詳細に説明する。
【００２０】
図１は、本発明の情報処理装置の一実施形態を示すブロック図である。本実施形態の情報処理装置１１は、各種のプログラムを実行して、この情報処理装置１１を制御する中央処理装置（以下ＣＰＵと称する）１２、ＣＰＵ１２のワーキングエリアとして用いられたり、各種のデータを記憶するランダムアクセスメモリ（以下ＲＡＭと称する）１３、各種のプログラムやデータテーブルを記憶したリードオンリーメモリ（以下ＲＯＭと称する）１４、ハードディスク記憶装置１５、表示装置１６、表示装置１６の画面に重ねられ、画面上で指先により指示された位置を検出する入力タブレット１７、キーボード１８、インターネット通信を行うための通信部１９、電源部２１、及び外部Ｉ／Ｏ端子２２を備えている。
【００２１】
この様な情報処理装置１１において、ＣＰＵ１２は、ＲＯＭ１４内のブラウザを読み出して実行することにより、通信部１９を通じてインターネット通信を行い、インターネット上のホームページにアクセスし、ホームページの内容を表示装置１６の画面に表示することができる。そして、ＣＰＵ１２は、ホームページの表示画面の解像度を変換し、この解像度を変換したホームページの表示画面を画像データとして取り込み、この画像データをハードディスク記憶装置１５に記憶させることができる。更に、オンライン及びオフラインにかかわらず、ＣＰＵ１２は、ＲＯＭ１４内の画像用アプリケーションソフトウェアを読み出して実行することにより、ホームページの表示画面を示す画像データをハードディスク記憶装置１５から読み出して、このホームページの表示画面を表示装置１６の画面に表示することができる。
【００２２】
次に、図２及び図３に示すフローチャートを参照しつつ、情報処理装置１１による処理を更に詳しく説明する。
【００２３】
図２は、表示画面の解像度を予め設定しておくための処理手順を示すフローチャートである。
【００２４】
ここでは、まず初期画面が表示装置１６の画面に表示されているものとする（ステップＳ１０１）。この初期画面には、各種のボタンが表示されており、これらのボタンのうちには解像度の設定を指示するためのものがある。キーボード１８や入力タブレット１７の操作により初期画面上で解像度の設定を指示するためのボタンがオンにされると、ＣＰＵ１２は、解像度を設定するためのプログラムをＲＯＭ１４から読み出して実行し、図３（ａ）に示す様な解像度設定用表示画面３１を表示装置１６に表示する。この解像度設定用表示画面３１には、複数の解像度３２，３３，３４が表示されており、入力タブレット１７の操作によりいずれかの解像度が選択されると、図３（ｂ）に示す様に表示画面を切り換える（ステップＳ１０２で「Ｙｅｓ」、ステップＳ１０３）。ＣＰＵ１２は、入力タブレット１７の操作により解像度の設定終了ボタン３５がオンされるまで待機し（ステップＳ１０４で「Ｎｏ」）、解像度の設定終了ボタン３５がオンされると（ステップＳ１０４で「Ｙｅｓ」）、解像度設定用表示画面３１上で選択された解像度をハードディスク記憶装置１５に登録する（ステップＳ１０５）。
【００２５】
また、解像度設定用表示画面３１上で解像度が選択されなければ（ステップＳ１０２で「Ｎｏ」）、ＣＰＵ１２は、予め初期設定されている解像度を選択して登録する（ステップＳ１０５）。
【００２６】
図４は、ホームページの処理手順を示すフローチャートである。
【００２７】
まず、ＣＰＵ１２は、初期画面を表示装置１６の画面に表示し、通信部１９をインターネットに接続する（ステップＳ２０１）。この状態で、キーボード１８や入力タブレット１７の操作により初期画面上でブラウザの起動を指示するためのボタンがオンにされると、ＣＰＵ１２は、ブラウザをＲＯＭ１４から読み出して実行する（ステップＳ２０２）。このブラウザが起動されると、複数のホームページのアドレスが表示装置１６の画面が表示される。そして、入力タブレット１７の操作によりいずれかのホームページのアドレスが選択されると、通信部１９を通じてインターネット上の該ホームページへのアクセスが行われ、このホームページの内容（ＨＴＭＬファイルや画像データ）が該情報処理装置１１のＲＡＭ１３へとダウンロードされ、このホームページの少なくとも一部が表示装置１６の画面に表示される（各ステップＳ２０３，Ｓ２０４）。
【００２８】
こうしてホームページの表示画面が表示されている状態で、入力タブレット１７の操作により表示画面の取り込みを指示するためのボタンがオンにされると（ステップＳ２０５で「Ｙｅｓ」）、ＣＰＵ１２は、図２の処理により先に設定登録された解像度をハードディスク記憶装置１５から読み出して、この解像度でホームページの表示画面を展開するのに必要な作業用バッファ領域をＲＡＭ１３内に確保し（ステップＳ２０６）、このホームページの表示画面をＲＡＭ１３内の作業用バッファ領域に展開する（ステップＳ２０７）。これにより、ホームページの表示画面が先に設定登録された解像度でＲＡＭ１３内の作業用バッファ領域に格納される。
【００２９】
引き続いて、ＣＰＵ１２は、日付に応じた名称のフォルダをハードディスク記憶装置１５内で作成し、作業用バッファ領域のホームページの表示画面を示す画像データを該フォルダに格納する（ステップＳ２０８）。
【００３０】
更に、入力タブレット１７の操作により次のホームページのアドレスが選択されると（ステップＳ２０９で「Ｙｅｓ」）、通信部１９を通じてインターネット上の該ホームページへのアクセスが行われ、このホームページの内容が該情報処理装置１１のＲＡＭ１３へとダウンロードされ、このホームページの少なくとも一部が表示装置１６の画面に表示される（ステップＳ２１０）。そして、入力タブレット１７の操作によりホームページのアクセスの終了を指示するためのボタンがオンにされていなければ（ステップＳ２１１で「Ｎｏ」）、表示装置１６に表示されているホームページの表示画面について、ステップＳ２０５からの処理が繰り返される。また、ホームページのアクセスの終了を指示するためのボタンがオンにされると（ステップＳ２１１で「Ｙｅｓ」）、この処理が終了となる。
【００３１】
この様にホームページの内容を表示している状態で、表示画面の取り込みが指示されると、ホームページの表示画面が所定の解像度の画像データとして取り込まれ、この画像データがハードディスク記憶装置１５内に記憶される。
【００３２】
この後では、オンライン及びオフラインにかかわらず、画像用アプリケーションソフトウェアを実行することにより、ホームページの表示画面を示す画像データをハードディスク記憶装置１５から読み出して、このホームページの表示画面を表示装置１６の画面に表示することができる。また、この画像データをフレキシブルディスクや磁気カード等に記録し、他の情報処理装置において、画像用アプリケーションソフトウェアを実行することにより、この画像データを記録媒体から読み出して、この画像データによって示されるホームページの表示画面を表示することもできる。すなわち、多様な情報処理装置のいずれにおいても、ブラウザを用いることなく、画像用アプリケーションソフトウェアを用いて、ホームページの表示画面を表示することができる。しかも、通常の画像用アプリケーションソフトウェアには、拡大縮小機能や表示内容の移動機能（スクロール）等が付与されているので、ホームページの表示画面全体を表示したり、その一部を拡大表示することができる。例えば、図５（ａ）に示す様な地図を表示装置１６の画面１６ａに表示した状態で、太線枠の領域１６ｂを選択して、図５（ｂ）に示す様に該領域１６ｂを拡大したり、図５（ｃ）に示す様に画面１６ａをスクロールすることができる。
【００３３】
また、ホームページの表示画面の解像度を設定しているので、この表示画面を再生表示するに際し、表示内容の大きさが適宜に設定される。
【００３４】
図６は、情報処理装置１１によるホームページの処理手順の変形例を示すフローチャートである。
【００３５】
ここでは、図４のフローチャートにおけるステップＳ２０５の代わりに、ステップＳ２２１を挿入している。図４のステップＳ２０５においては、先に述べた様にホームページの表示画面が表示されている状態で、入力タブレット１７の操作により表示画面の取り込みを指示するためのボタンがオンにされたか否かを判定している。
【００３６】
これに対して図６のステップＳ２２１においては、入力タブレット１７の操作により図３（ａ）の解像度設定用表示画面３１上の毎回取り込みスイッチ３６が予めオンにされているか否かを判定している。そして、毎回取り込みスイッチ３６がオンにされていれば（ステップＳ２２１で「Ｙｅｓ」）、ＣＰＵ１２は、ホームページの表示画面を先に設定登録された解像度でＲＡＭ１３内の作業用バッファ領域に展開し、このホームページの表示画面を示す画像データをハードディスク記憶装置１５内のフォルダに格納する（各ステップＳ２０５，Ｓ２０６，Ｓ２０７，Ｓ２０８）。
【００３７】
更に、次のホームページのアドレスが選択され（ステップＳ２０９で「Ｙｅｓ」）、このホームページの表示画面が表示されると（ステップＳ２１０）、毎回取り込みスイッチ３６がオンにされていることから（ステップＳ２２１で「Ｙｅｓ」）、このホームページの表示画面がハードディスク記憶装置１５内のフォルダに格納される。
【００３８】
従って、毎回取り込みスイッチ３６がオンにされている限り、ホームページの表示画面の更新の度に、ホームページの表示画面がフォルダに格納されることになる。これにより、ホームページの表示画面の更新の度に、入力タブレット１７の操作により表示画面の取り込みを指示する必要がなくなり、操作が簡単化される。
【００３９】
また、図３（ａ）の解像度設定用表示画面３１上の毎回取り込みスイッチ３６をオンにする代わりに、入力タブレット１７の操作により指定時間取り込みスイッチ３７をオンにして、キーボード１８の操作により指定時間を指定時間欄３７ａに記入しても良い。この場合は、ＣＰＵ１２は、ホームページの表示画面が表示されている継続時間を計時し、この継続時間が指定時間欄３７ａ内の指定時間を超えたときに、ホームページの表示画面を先に設定登録された解像度でＲＡＭ１３内の作業用バッファ領域に展開し、このホームページの表示画面を示す画像データをハードディスク記憶装置１５内のフォルダに格納する（各ステップＳ２０５，Ｓ２０６，Ｓ２０７，Ｓ２０８）。
【００４０】
更に、次のホームページのアドレスが選択され（ステップＳ２０９で「Ｙｅｓ」）、このホームページの表示画面が表示されると（ステップＳ２１０）、指定時間取り込みスイッチ３７がオンにされていることから（ステップＳ２２１で「Ｙｅｓ」）、ホームページの表示画面が表示されている継続時間が計時され、この継続時間が指定時間欄３７ａ内の指定時間を超えると、このホームページの表示画面がハードディスク記憶装置１５内のフォルダに格納される。
【００４１】
従って、ホームページの表示画面が更新され、このホームページの表示画面の継続時間が指定時間を超えると、ホームページの表示画面がフォルダに格納されることになる。これにより、ネットサーフィンを行っているときに、表示時間が比較的長かったホームページの表示画面を自動的に選択して取り込むことができる。逆に、表示時間が僅かであったホームページの表示画面を取り込まないので、ハードディスク記憶装置１５の容量を節減することができる。
【００４２】
次に、この情報処理装置１１においては、メールを通信部１９を通じて受信したときに、ＣＰＵ１２は、このメールに添付されているファイルの形式に対応するファイル専用アプリケーションソフトウェアをＲＯＭ１４から読み出して実行し、このファイルを展開して、このファイルの内容を表示装置１６の画面に表示することができる。そして、ＣＰＵ１２は、ファイルの内容を表示した表示画面の解像度を変換し、この解像度を変換したファイルの表示画面を画像データとして取り込み、この画像データをハードディスク記憶装置１５に記憶させることができる。更に、オンライン及びオフラインにかかわらず、ＣＰＵ１２は、ＲＯＭ１４内の画像用アプリケーションソフトウェアを読み出して実行することにより、ファイルの表示画面を示す画像データをハードディスク記憶装置１５から読み出し、このファイルの表示画面を表示装置１６の画面に表示することができる。
【００４３】
次に、図７に示すフローチャートを参照しつつ、メールに添付のファイルの処理過程を更に詳しく説明する。
【００４４】
まず、ＣＰＵ１２は、初期画面を表示装置１６の画面に表示し、通信部１９をインターネットに接続する。この状態で、キーボード１８や入力タブレット１７の操作により初期画面上で電子メールアプリケーションソフトウェアの起動を指示するためのボタンがオンにされると、ＣＰＵ１２は、電子メールアプリケーションソフトウェアをＲＯＭ１４から読み出して実行する。このソフトウェアの実行により、インターネットを通じての電子メールの送受が可能になる。
【００４５】
ここで、例えばファイルが添付されたメールを通信部１９を通じて受信したならば、ＣＰＵ１２は、このメールを表示装置１６の画面に表示する（ステップＳ３０１）。そして、入力タブレット１７の操作によりメールに添付のファイルの展開を指示するためのボタンがオンされると（ステップＳ３０２で「Ｙｅｓ」）、ＣＰＵ１２は、メールに添付のファイルの形式に対応するファイル専用アプリケーションソフトウェアをＲＯＭ１４から読み出して実行し、このファイルを展開して（ステップＳ３０３）、このファイルの内容を表示装置１６の画面に表示する（ステップＳ３０４）。
【００４６】
こうしてファイルの表示画面が表示されている状態で、入力タブレット１７の操作により表示画面の取り込みを指示するためのボタンがオンにされると（ステップＳ３０５で「Ｙｅｓ」）、ＣＰＵ１２は、図２の処理により先に設定登録された解像度をハードディスク記憶装置１５から読み出して、この解像度でファイルの表示画面を展開するのに必要な作業用バッファ領域をＲＡＭ１３内に確保し（ステップＳ３０６）、このファイルの表示画面をＲＡＭ１３内の作業用バッファ領域に展開する（ステップＳ３０７）。これにより、ファイルの表示画面が先に設定登録された解像度でＲＡＭ１３内の作業用バッファ領域に格納される。
【００４７】
引き続いて、ＣＰＵ１２は、日付に応じた名称のフォルダをハードディスク記憶装置１５内で作成し、作業用バッファ領域のファイルの表示画面を示す画像データを該フォルダに格納する（ステップＳ３０８）。
【００４８】
更に、入力タブレット１７の操作によりメールに添付の次のファイルが選択されると（ステップＳ３０９で「Ｙｅｓ」）、このファイルが展開されて、このファイルの表示画面が表示される（ステップＳ３１０）。そして、入力タブレット１７の操作によりファイルの展開の終了を指示するためのボタンがオンにされていなければ（ステップＳ３１１で「Ｎｏ」）、表示装置１６に表示されているファイルの表示画面について、ステップＳ３０５からの処理が繰り返される。また、ファイルの展開の終了を指示するためのボタンがオンにされると（ステップＳ３１１で「Ｙｅｓ」）、この処理が終了となる。
【００４９】
この様にファイルの内容を表示している状態で、表示画面の取り込みが指示されると、ファイルの表示画面が所定の解像度の画像データとして取り込まれ、この画像データがハードディスク記憶装置１５内に記憶される。
【００５０】
この後では、オンライン及びオフラインにかかわらず、画像用アプリケーションソフトウェアを実行することにより、ファイルの表示画面を示す画像データをハードディスク記憶装置１５から読み出し、このファイルの表示画面を表示装置１６の画面に表示することができる。また、この画像データをフレキシブルディスクや磁気カード等に記録し、他の情報処理装置において、画像用アプリケーションソフトウェアを実行することにより、この画像データを記録媒体から読み出し、この画像データによって示されるファイルの表示画面を表示することもできる。すなわち、多様な情報処理装置のいずれにおいても、ファイル専用アプリケーションソフトウェアを用いることなく、画像用アプリケーションソフトウェアを用いて、ファイルの表示画面を表示することができる。しかも、通常の画像用アプリケーションソフトウェアには、拡大縮小機能や表示内容の移動機能（スクロール）等が付与されているので、ファイルの表示画面全体を表示したり、その一部を拡大表示することができる。また、ファイルの表示画面の解像度をしているので、この表示画面を再生表示するに際し、表示内容の大きさが適宜に設定される。
【００５１】
【発明の効果】
以上説明した様に本発明によれば、ホームページの表示画面の解像度を変換し、この解像度を変換したホームページの表示画面を画像データとして取り込み、この画像データを記憶している。このため、通常の画像用アプリケーションソフトウェアを用いて、画像データによって示されるホームページの表示画面を再生表示したり、表示内容の拡大縮小や移動等を行うことができる。あるいは、多様な情報処理装置のいずれにおいても、ホームページの表示画面を再生表示したり、表示内容の拡大縮小や移動等を行うことができる。また、解像度を変換した表示画面を画像データとして取り込んでいるので、この表示画面を再生表示するに際し、表示内容の大きさが適宜に設定される。
【００５２】
また、複数の表示画面が順次表示される度に、該各表示画面を画像データとして逐次取り込んでいるので、各表示画面を速やかに取り込むことができ、情報処理装置の操作を簡略化することができる。あるいは、一定時間以上表示されたホームページの表示画面を画像データとして取り込んでいるので、ネットサーフィンを行っているときに、表示時間が比較的長かったホームページの表示画面を自動的に選択して取り込むことができ、メモリの容量を節減することができる。
【００５３】
また、ホームページの表示画面だけではなく、メールに添付のファイルの表示画面や、ファイル専用アプリケーションソフトウェアにより展開されたファイルの表示画面についても、画像データとして取り込んで記憶するので、一般的な画像用アプリケーションソフトウェアを用いて、画像データによって示されるファイルの表示画面を再生表示することができる。
【図面の簡単な説明】
【図１】本発明の情報処理装置の一実施形態を示すブロック図である。
【図２】図１の情報処理装置における表示画面の解像度を設定するための処理手順を示すフローチャートである。
【図３】（ａ）及び（ｂ）は、図１の情報処理装置における表示装置に表示された解像度設定用表示画面を例示する図である。
【図４】図１の情報処理装置におけるホームページの処理手順を示すフローチャートである。
【図５】（ａ）、（ｂ）、及び（ｃ）は、図１の情報処理装置における表示装置に表示されたホームページの表示画面を例示する図である。
【図６】図４の処理手順の変形例を示すフローチャートである。
【図７】図１の情報処理装置におけるメールに添付のファイルの処理手順を示すフローチャートである。
【符号の説明】
１１　　情報処理装置
１２　　中央処理装置（ＣＰＵ）
１３　　ランダムアクセスメモリ（ＲＡＭ）
１４　　リードオンリーメモリ（ＲＯＭ）
１５　　ハードディスク記憶装置
１６　　表示装置
１７　　入力タブレット
１８　　キーボード
１９　　通信部
２１　　電源部
２２　　外部Ｉ／Ｏ端子
３１　　解像度設定用表示画面
３２，３３，３４　　解像度
３５　　設定終了ボタン
３６　　毎回取り込みスイッチ
３７　　指定時間取り込みスイッチ
【図１】
2004030297.tif 000003
【図２】
2004030297.tif 000004
【図３】
2004030297.tif 000005
【図４】
2004030297.tif 000006
【図５】
2004030297.tif 000007
【図６】
2004030297.tif 000008
【図７】
2004030297.tif 000009